(57)【特許請求の範囲】
【請求項１】
空気タンクに貯められた高圧の圧縮空気を任意の圧力に調整して供給する圧力調整器と、該圧力調整器により調整された圧縮空気を、高圧専用プラグ及び常圧専用プラグを介して各々の専用工具へ接続するカプラとから構成されており、該カプラの一端には高圧専用プラグと常圧専用プラグを何れも装着可能なソケット部が形成されるとともに、
カプラ内には、圧力調整器を経て前記ソケット部の上流側に供給される圧縮空気の流路を開閉する開閉弁と、開閉弁の下流側に摺動可能に設けられて開閉弁を押し開くようにバネ付勢された作動部材とにより構成された減圧弁が設けられ、圧力調整器から供給された圧縮空気のエア圧により作動部材を開閉弁閉じ方向に付勢する力と作動部材を開閉弁開き方向に付勢するバネ付勢力とのバランスにより前記エア圧が所定圧力を超えたときに前記開閉弁を閉じ作動させて前記エア圧を常圧工具の作動圧力領域のほぼ上限値に近い所定圧力値に減圧してソケット部側に供給し、
さらに、作動部材の下流側には、前記圧力調整器から供給された圧縮空気がソケット部に流出するのを防止する第１の遮断弁及び第２の遮断弁と、前記開閉弁を押し開き作動可能なロッドとを設け、上記第２の遮断弁は上記ロッドが開閉弁を押し開き作動するときに開放作動するようになし、
常圧専用のプラグが前記ソケット部に装着されたときは、常圧専用のプラグで前記第１の遮断弁のみを開放位置に作動させて前記減圧弁による減圧エアを常圧専用のプラグに接続する一方、前記ソケット部に高圧専用プラグが装着されたときは、該高圧専用のプラグにより前記ロッドのみを作動させて前記開閉弁を開放位置に作動維持させるとともに、前記第２の遮断弁を開放位置に作動させて圧力調整器からの供給エア圧を高圧専用プラグに導通させるようにしたことを特徴とする圧縮機における圧縮空気取出し装置。
【請求項２】
空気タンクに貯められた高圧の圧縮空気を任意の圧力に調整して供給する圧力調整器と、該圧力調整器により調整された圧縮空気を、高圧専用プラグ及び常圧専用プラグを介して各々の専用工具へ接続するカプラとから構成されており、該カプラの一端には高圧専用プラグと常圧専用プラグを何れも装着可能なソケット部が形成されるとともに、
前記カプラ内には、カプラハウジングに形成されたバルブシートの上流側面に密着可能に設けられて圧力調整器を経て前記ソケット部の上流側に供給される圧縮空気の流路を開閉するとともに常時は圧縮空気を遮断するようにバネ付勢された開閉弁を備えるとともに、開閉弁の下流側には、常圧専用プラグの装着時に該常圧専用プラグの先端によって摺動可能な第一筒状体と、高圧専用プラグの装着時に該高圧専用プラグの先端によって摺動可能で開閉弁を押し開く方向にバネ付勢された第二筒状体とを備え、第一筒状体は、第二筒状体を付勢するバネを押圧するように設けられ、
常圧専用プラグの接続時には、該常圧専用プラグ先端で前記第一筒状体を押し込んで前記第二筒状体を付勢するバネを押圧することにより前記開閉弁に対し開放方向にバネ付勢力を生じさせ、このバネ付勢力と圧力調整器から供給される圧縮空気が開閉弁に作用するエア圧とのバランスにより前記エア圧が所定圧力を越えたときに前記開閉弁が遮断するようになし、かつ高圧専用プラグの接続時には、前記高圧専用プラグ先端で前記第二筒状体を直接に押して前記開閉弁を開放位置に作動させてこれを開放位置に維持させる
ことを特徴とする圧縮機における圧縮空気取出し装置。
【発明の詳細な説明】
【０００１】
【発明の属する技術分野】
本発明は、作動空気圧力が常圧領域で使用する常圧用とこれより作動圧力領域の高い高圧用の空気動工具の駆動源として、これらの両方の空気動工具等へ圧縮空気を供給するための圧縮機における圧縮空気取出し装置に関する。
【０００２】
【従来の技術】
作動空気圧力が例えば８ｋｇ／ｃｍ2以下の常圧領域で使用する常圧用と、これより作動圧力領域の高い高圧の圧力領域で使用する高圧用の空気動工具が知られており、これらの工具では工具に圧縮空気を供給するためのホースに取り付けるプラグは誤接続を防止するためにそれぞれ専用の形状のものが使用されている。そして、これらの高圧用と常圧用の何れの工具へも圧縮空気を供給できるようにした圧縮機では、高圧専用の空気取出し口と常圧専用の空気取り出し口がそれぞれ少なくとも１つずつ設置する必要があり、それぞれの圧縮空気取り出し口には高圧用と常圧用の専用のプラグを接続するための専用のカプラと圧力調整器とを装備する必要があり、圧縮機のコストを上げる要因となっている。
【０００３】
そこで、高圧工具側の高圧専用のプラグと常圧専用のプラグの両方が接続可能なカプラを設置して、このカプラに常圧用のプラグが接続されている場合に、圧力調整器により調整された供給圧力が常圧工具の作動圧力領域を越えたときに常圧プラグ側への圧縮空気の供給を遮断するようにした圧縮空気取出し装置を出願人は既に提案している。この構成により常圧と高圧の何れの工具を使用するにしても１つの圧縮空気取出し口を設置すればよいので圧縮機のコストを低減させることが可能となる。
【０００４】
図１０に示すように、既に提案されている圧縮空気取出し装置の構成は、高圧用と常圧用の各専用のプラグが何れも接続可能なソケット部５１を備えており、該ソケット部５１に常圧用のプラグＰ１が接続された状態では、圧力調整器からの供給圧力が常圧工具の作動圧力領域を越えて高くなったときに圧力調整器とソケット部５１間のエア流路を閉鎖する開閉弁５２を備えている。この開閉弁５２は、圧力調整器から供給されるエア圧を受けて開閉弁５２を閉鎖方向へ作動させる受圧面５２ａと、この受圧面５２ａと対向して開閉弁５２を開方向へ付勢するバネ５３により作動するように構成されており、この開閉弁５２が常圧プラグＰ１の装着によって移動されているので可動弁体５４と協働して、開閉弁５２の筒状部５２ｂが可動弁体５４のＯリング５５を収容してエア通路を遮断するようにされている。この開閉弁５２は常圧工具の作動エア圧領域の上限で閉鎖方向に作動するように前記バネ５３のバネ力と圧縮空気の受圧面５２ａの面積が設定されていて、圧力調整器の調整圧力が前記設定された圧力を越えたときに作動して常圧プラグＰ１への圧縮空気の供給を遮断し、常圧専用の工具への作動エア圧領域を越えた圧力の圧縮空気が供給されないようにしている。
【０００５】
【発明が解決しようとする課題】
しかしながら、常圧専用の工具を接続した状態で、工具の使用圧力を設定するために圧力調整器を調整操作して供給エア圧が常圧の作動エア圧を越えてしまった場合、当然開閉弁５２が作動して圧縮空気の流通を遮断するが、上記開閉弁５２が一旦閉鎖した状態では、開閉弁５２の筒状部５２ｂが可動弁体のＯリング５５に嵌合しているので摺動抵抗が増大し、更に、上記機構の開閉弁５２は、弁体の上流側面の受圧面５２ａと下流側面の受圧面５２ｃの差とバネ力により作動させるように構成しており、開閉弁５２が作動して通路を遮断した状態では、両受圧面が開閉弁体で遮断されて、プラグ側に面した下流側の受圧面側５２ｃが殆ど０ｋｇ／ｃｍ2に低下する場合があり、両受圧面に作用する圧力差が大きくなることから、圧力調整器を再調整して供給エア圧を前記設定圧より少しぐらい下げても開閉弁５２がエア通路を開放する方向に作動しない状態が発生する。例えば、開閉弁５２を８ｋｇ／ｃｍ2の供給エア圧で閉鎖方向に作動させるように設定した場合では、一端閉鎖した開閉弁５２は５ｋｇ／ｃｍ2まで圧力調整器の供給圧を下げないと開閉弁５２を開放方向へ作動させることができない。このため、常圧の工具を使用する場合に使い勝手が悪いという問題があった。
【０００６】
本発明は、上記従来技術での問題点を解決し、常圧プラグを接続したときに圧力調整器での出力エア圧が設定圧を越えた場合に流路を遮断して常圧工具へその作動エア圧を越えた圧縮空気が供給されることを防止するとともに、遮断した後の圧力調整器での供給圧力を作動エア圧以下に再調整することにより速やかに作動エア圧の圧縮空気を供給できるようにすることを課題とする。
【０００７】
【課題を達成するための手段】
上記課題を解決するため請求項１の発明は、空気タンクに貯められた高圧の圧縮空気を任意の圧力に調整して供給する圧力調整器と、該圧力調整器により調整された圧縮空気を、高圧専用プラグ及び常圧専用プラグを介して各々の専用工具へ接続するカプラとから構成されており、該カプラの一端には高圧専用プラグと常圧専用プラグを何れも装着可能なソケット部が形成されるとともに、カプラ内には、圧力調整器を経て前記ソケット部の上流側に供給される圧縮空気の流路を開閉する開閉弁と、開閉弁の下流側に摺動可能に設けられて開閉弁を押し開くようにバネ付勢された作動部材とにより構成された減圧弁が設けられ、圧力調整器から供給された圧縮空気のエア圧により作動部材を閉じ方向に付勢する力と作動部材を開閉弁を押し開く方向に付勢するバネ付勢力とのバランスにより前記エア圧が所定圧力を超えたときに前記開閉弁を閉じ作動させて前記エア圧を常圧工具の作動圧力領域のほぼ上限値に近い所定圧力値に減圧してソケット部側に供給し、さらに、作動部材の下流側には、前記圧力調整器から供給された圧縮空気がソケット部に流出するのを防止する第１の遮断弁と、前記開閉弁を押し開き作動可能なロッドと、該ロッドの作動に連動してロッドが開閉弁を押し開き作動しない状態では圧力調整器から供給された圧縮空気がソケット部に流出しないように閉じる第２の遮断弁とを設け、常圧専用のプラグが前記ソケット部に装着されたときは、常圧専用のプラグで前記第１の遮断弁のみを開放位置に作動させて前記減圧弁による減圧エアを常圧専用のプラグに接続する一方、前記ソケット部に高圧専用プラグが装着されたときは、該高圧専用のプラグにより前記ロッドのみを作動させて前記開閉弁を開放位置に作動維持させるとともに、前記第２の遮断弁を開放位置に作動させて圧力調整器からの供給エア圧を高圧専用プラグに導通させるようにしたことを特徴とする。
【０００８】
また、請求項２に記載の発明は、空気タンクに貯められた高圧の圧縮空気を任意の圧力に調整して供給する圧力調整器と、該圧力調整器により調整された圧縮空気を、高圧専用プラグ及び常圧専用プラグを介して各々の専用工具へ接続するカプラとから構成されており、該カプラの一端には高圧専用プラグと常圧専用プラグを何れも装着可能なソケット部が形成されるとともに、前記カプラ内には、カプラハウジングに形成されたバルブシートの上流側面に密着可能に設けられて圧力調整器を経て前記ソケット部の上流側に供給される圧縮空気の流路を開閉するとともに常時は圧縮空気を遮断するようにバネ付勢された開閉弁を備えるとともに、開閉弁の下流側には、常圧専用プラグの装着時に該常圧専用プラグの先端によって摺動可能な第一筒状体と、高圧専用プラグの装着時に該高圧専用プラグの先端によって摺動可能で開閉弁を押し開く方向にバネ付勢された第二筒状体とを備え、第一筒状体は、第二筒状体を付勢するバネを押圧するように設けられ、常圧専用プラグの接続時には、該常圧専用プラグ先端で前記第一筒状体を押し込んで前記第二筒状体を付勢するバネを押圧することにより前記開閉弁に対し開放方向に強いバネ付勢力を生じさせ、このバネ付勢力と圧力調整器から供給される圧縮空気が開閉弁に作用するエア圧とのバランスにより前記エア圧が所定圧力を越えたときに前記開閉弁が遮断するようになし、かつ高圧専用プラグの接続時には、前記高圧専用プラグ先端で前記第二筒状体を直接に押して前記開閉弁を開放位置に作動させてこれを開放位置に維持させることを特徴とする。
【０００９】
【発明の実施の形態】
以下図面に示す実施例に基づいて本発明の実施の形態を説明する。図１は本発明の圧縮空気取出し装置を実施した空気圧縮機の概要図であり、電動モータ１で駆動される圧縮機２は前段圧縮機２ａで大気圧の空気中間圧まで圧縮し、後段圧縮機２ｂは連通管３を介して前記中間圧を吸入して高圧専用の空気圧駆動工具の作動エア圧に見合った高圧まで圧縮する。高圧空気は空気タンク４に貯留される。空気タンク４には、空気圧工具へ供給する圧縮空気の圧力を調整する圧力調整器５と工具側のプラグを接続するカプラ６からなる圧縮空気取出装置７が少なくとも１つ設置されている。図において８及び９はそれぞれ空気タンク４内の空気圧力値と圧力調整器５による調整圧力値を表示する圧力計である。圧力調整器５は空気タンク４内に貯留されている圧縮空気の圧力を、常圧工具の作動圧力領域から高圧工具の作動圧力領域の範囲まで任意の調整圧力に減圧してカプラ６に供給する。
【００１０】
図２に示すようにカプラ６は、前記圧力調整器５と接続されて減圧された圧縮空気が供給されるエア供給口１０が一端側に形成され、反対側の端部には工具に接続されたプラグを受け入れて装着するための雌型のソケット部１１が形成されている。ソケット部１１は常圧専用と高圧専用のそれぞれ形状の異なったプラグが何れも接続できるように形成されている。カプラ６内には、プラグが接続されていない状態で供給側からの圧縮空気の流出を防止するための第１の遮断弁１２ａと第２の遮断弁１２ｂが形成されており、該第１の遮断弁１２ａは常圧専用プラグＰ１をソケット部１１へ装着することにより作動される筒状体１３の外周面に装着されたＯリング１４とプラグハウジングに形成されたバルブシート１５により構成され、常圧専用プラグＰ１がソケット部１１に接続された状態では筒状体１３が作動して第１の遮断弁１２ａが開放されて圧縮空気をエア供給口１０側からソケット部１１側へ導通させる。第２の遮断弁１２ｂは高圧専用プラグＰ２の装着によって作動されるロッド１６の外周に装着されたＯリング１７と前記筒状体１３により構成されており、高圧専用プラグＰ２が装着されることによってロッド１６が作動されて圧縮空気を高圧専用プラグＰ２側へ導通させる。
【００１１】
更に上記カプラ６のエア供給口１０側には、エア供給口１０からソケット部側への圧縮空気通路を開閉する開閉弁１８が設けられている。この開閉弁１８は付勢バネ１９とエア供給口１０から供給されるエア圧によりプラグハウジングに形成されたバルブシート２０の上流側面に密着されて圧縮空気を遮断する。開閉弁１８の下流側にはこの開閉弁１８を開閉作動させる作動部材２１が摺動自在に配置されており、該作動部材２１は、開閉弁１８を通過した圧縮空気受ける受圧面２１ａに作用する圧縮空気圧と、この受圧面２１ａの反対側に配置されたバネ２２による作動部材２１を押圧するバネ力とのバランスによって作動されて開閉弁１８を開閉操作する。上記バネ２２の押圧力と受圧面２１ａの面積は、受圧面２１ａに作用する圧縮空気の圧力が常圧工具の作動圧の上限の圧力例えば８．５ｋｇ／ｃｍ2を境として、受圧面２１ａに作用するエア圧がこれより大きくなったときには開閉弁１８を閉鎖する方向に作動し、小さいときには開閉弁１８を開く方向に作動するように設定する。
【００１２】
即ち、開閉弁１８と作動部材２１とはバネ２２と受圧面２１ａとで設定された減圧弁として機能するもので、エア供給口１０へ圧力調整器５から高圧領域の圧縮空気が供給されていて、図３に示すようにソケット部に常圧専用プラグＰ１が接続された場合には、常圧専用プラグＰ１へは前記受圧面２１ａとバネ２２で設定された圧力に減圧された圧縮空気が供給される。常圧工具を前記の設定圧より低い圧力で使用する場合には、圧力調整器５によりエア供給口１０に供給するエア圧を設定圧より低く調整する。これにより、作動部材２１はバネ２２のバネ力によって開閉弁１８を開放した状態に作動して、常圧工具には圧力調整器５で調整された圧力の圧縮空気が供給される。前記作動部材２１の受圧面２１ａの反対側面は通路２５を介して常時大気に連通されている。従って開閉弁１８の解放時と閉鎖時での受圧面の面積に変動が無く、作動部材２１の作動方向によってバランスが崩れることは無い。
【００１３】
図５に示すように、ソケット部１１への高圧専用プラグＰ２の装着によってプラグの先端と当接して作動されるロッド１６の他端１６ａが、前記開閉弁１８の方向に延長されており、高圧専用プラグＰ２がソケット部１１に装着されて前記ロッド１６が作動されることにより、ロッド１６の先端１６ａが前記開閉弁１８と当接してこれをバルブシート２０から離反させて開閉弁１８を開放させた状態に維持する。これにより、高圧専用工具の使用時には前記開閉弁１８は開放状態を維持させられ、高圧工具には圧力調整器５により調整された圧力の圧縮空気が供給できる。なお、高圧工具の作動圧以下の圧力に調整された場合にも低い圧力の圧縮空気が高圧工具へ供給されるが、これによる危険は無いので問題はない。圧力調整器５を再調整して供給圧を高くすればよい。
【００１４】
上記ソケット部１１に常圧又は高圧の何れのプラグも接続されていない状態では、エア供給口１０に常圧工具の作動圧力領域の圧縮空気が供給されたときには、作動部材２１の受圧面２１ａにエア圧が作用するがバネ２２の押圧力の方が大きいので、図２に示されるように、作動部材２１は開閉弁１８を押圧して開放させ、圧縮空気が第１の遮断弁１２ａの部分に導通されている。図３に示すように常圧工具に連結されている常圧専用プラグＰ１をソケット部１１に接続すると、筒状体１３がプラグによって押圧されて第１の遮断弁１２ａが開かれて、エア供給口１０に供給されている常圧領域の圧縮空気がそのままプラグを介して工具に供給される。
【００１５】
この状態から圧力調整器５の調整圧を高圧領域の圧力に調整すると、高圧の圧縮空気が作動部材２１の受圧面２１ａに作用して作動部材２１を作動させ、これにより図４に示すように開閉弁１８が閉じて高圧の圧縮空気が下流方向のソケット部１１側へ流動するのを遮断する。工具側での圧縮空気の消費により下流側のエア圧が低下すると作動部材２１の受圧面２１ａに作用するエア圧も低下するので、図３に示すように作動部材２１が作動して開閉弁１８を開放させる。開閉弁１８の開放により高いエア圧が作動部材２１の受圧面２１ａに作用して作動部材２１により開閉弁１８が再び閉じられる。このように、常圧工具側には作動部材２１と開閉弁１８による減圧弁の機能により受圧面２１ａとバネ２２により設定された常圧工具の作動領域の上限圧力に減圧された圧縮空気が供給される。従って常圧工具には上限圧力を越えた高い圧力の圧縮空気が供給されることがない。
【００１６】
ソケット部１１にプラグが装着されていない状態で、エア供給口１０に高圧領域の圧縮空気が供給されている場合には、高圧の圧縮空気が作動部材２１の受圧面２１ａに作用して、作動部材２１と開閉弁１８による減圧弁の機能により受圧面２１ａとバネ２２により設定された常圧工具の作動圧力領域の上限圧力が第１の遮断弁１２ａの部分に供給されている。常圧専用プラグＰ１をソケット部１１に接続すると前記上限圧力の圧縮空気が工具側に供給されるが、この上限圧力を越えた圧力の圧縮空気が常圧占用の工具へ供給されることはない。
【００１７】
次に、本発明の別の実施の形態を別の実施例に基づいて説明する。図６に示されるように、圧力調整器５の下流側に接続されるカプラ３０は、一端側に圧力調整器５からの調整された圧縮空気を接続するエア供給口３１と他端部には高圧専用及び常圧専用のそれぞれ形状の異なったプラグが何れも接続可能なソケット部３２が形成されている。
ソケット部３２のプラグ受け入れ開口内には、常圧専用プラグＰ１の装着時にプラグ端部によって作動される第一筒状体３３と高圧専用プラグＰ２の装着時に操作される第二筒状体３４が同心状に配置されており、第二筒状体３４内はエア通路３５として構成されている。
【００１８】
エア供給口３１側には、エア供給口３１から前記エア通路３５への圧縮空気の流路を開閉する開閉弁３６が設けられており、開閉弁３６は開閉弁３６を閉じ方向へ付勢しているバネ３７とエア供給口３１から供給される圧縮空気が開閉弁３６に作用する押圧力によって、カプラハウジングに配置されたゴム等の弾性材で構成されているバルブシート３８のエア供給口３１側の面に着座してエア供給口３１側からの圧縮空気を遮断する。
【００１９】
開閉弁３６の下流側面には弁ステム３６ａが一体に形成されており、該ステム３６ａの端部が前記第二筒状体３４の端面と当接されている。第二筒状体３４と第一筒状体３３との間には圧縮バネ３９が配置されており、ソケット部３２に常圧専用プラグＰ１が装着されていない状態では前記第一筒状体３３が作動されていないので圧縮バネ３９は伸張しており第二筒状体３４には圧縮バネ３９による付勢力は作用していない。従ってエア供給口３１に圧縮空気が供給されていない状態から高圧の圧縮空気が供給されている状態までの全ての状態で、開閉弁３６はバネ３７の作用又はバネ３７と圧縮空気の作用によってバルブシート３８面と密着されてエア供給口３１からの圧縮空気を閉鎖している。図７に示されるように、第一筒状体３３が常圧専用プラグＰ１の装着によって作動されることにより圧縮バネ３９が圧縮されて第二筒状体３４を弾力的にエア供給口３１側に付勢させて開閉弁３６を開方向に押圧付勢させる。圧縮バネ３９のバネ力は、前記第一筒状体３３が常圧専用プラグＰ１の装着により作動された時に開閉弁３６の上流側の受圧面３６ｂに作用する供給エア圧が常圧工具の作動上限圧例えば８ｋｇ／ｃｍ2でバランスが取れるように設定される。これによって、供給エア圧が上記設定圧力を越えたときに図８のように開閉弁３６の受圧面３６ｂの作用力が圧縮バネ３９力より上回り第二筒状体３４を介して圧縮バネ３９を押し縮めて閉鎖方向に移動して圧縮空気を遮断する。
【００２０】
圧力調整器５の調整圧力が高くなって上記のように開閉弁３６が閉鎖した状態から、圧力調整器５を再調整して供給圧力を徐々に降下させていくと、供給圧力が前記設定圧力より降下した時点で、開閉弁３６の受圧面３６ｂに作用する閉鎖方向の作用力と圧縮バネ３９の押圧力が反転して、圧縮バネ３９のバネ力によって開閉弁３６が開かれてプラグ側に圧縮空気が供給される。開閉弁３６のシールを面シール構造としているので開閉弁３６の開放作動時の摺動抵抗がなくまた、
開閉弁３６の解放時と閉鎖時での受圧面積に差が無いよう設定できるので開閉弁３６の閉じ方向と開方向の作動エア圧の差を小さくできる。
【００２１】
図９に示されるように、高圧専用プラグＰ２をソケット部３２に接続した場合には、プラグ先端で第二筒状体３４が作動されてこの第二筒状体３４の先端と当接されている開閉弁３６は開方向へ移動され圧縮空気が流通可能に維持され、エア供給口３１に供給された常圧領域から高圧領域までの全ての圧力の圧縮空気が高圧専用プラグＰ２へ供給される。なお、高圧専用の工具へ常圧領域の圧縮空気が供給されるが危険を伴う状態は生じないので問題はない。
【００２２】
【発明の効果】
以上のように請求項１の発明によれば、常圧工具の作動圧力の上限圧力に減圧させる減圧弁を内蔵しているので、常圧専用プラグを接続したときにはこの上限圧力より高い供給圧力は自動的に上限圧力に減圧されて常圧専用プラグへ供給されるので、上限圧力を越えた高圧が工具へ供給されることがない。また、高圧専用プラグ接続時には、プラグの接続によって開閉弁を強制的に開放位置に移動させて維持させるようにしているので、高圧工具使用時には前記減圧弁の機能が働かず圧力調整器で調整された任意の圧力の圧縮空気を高圧工具へ供給できる。また、圧力調整器での調整により常圧領域での任意圧力での常圧工具の使用が可能であり、圧力調整器での調整圧力値が常圧領域を越えた場合でも、供給エアが遮断されることが無く常圧工具の作動圧力領域の上限圧力の圧縮空気が供給され続け、従って作業を停止することがない。
【００２３】
また、請求項２の発明によれば、開閉弁のシールを面シール構造としているので開閉弁の開閉作動時の摺動抵抗がなくまた、開閉弁の開放時と閉鎖時での受圧面積に差が無いよう設定できるので開閉弁の閉じ方向と開方向の作動エア圧の差を小さくできる。従って圧力調整器での供給圧力の再調整操作により速やかに常圧領域の供給圧の供給が可能であり常圧工具の作業性を向上させることが可能である。
【図面の簡単な説明】
【図１】  本発明の圧縮空気取り出し装置を実施した圧縮機の構成図
【図２】  本発明の第一の実施例によるカプラの構成を示す断面図
【図３】  図２と同じ実施例のカプラに常圧専用プラグが装着され、開閉弁が開かれた状態を示す断面図
【図４】  開閉弁が閉じた状態を示す図３と同じ状態の断面図
【図５】  図２と同じ実施例のカプラに高圧専用プラグを装着した状態を示す断面図
【図６】  本発明の第二の実施例によるカプラの構成を示す断面図
【図７】  図６と同じ実施例のカプラに常圧専用プラグを装着され、開閉弁が開いている状態を示す断面図
【図８】  図７と同じ状態で開閉弁が閉じている状態を示す断面図
【図９】  図６と同じ実施例のカプラに高圧専用プラグを装着した状態を示す断面図
【図１０】  従来のカプラに常圧専用プラグが装着され、開閉弁が開放している状態を示す断面図
【図１１】  図１０と同じ従来のカプラで開閉弁が閉じた状態を示す断面図
【符号の説明】
５  圧力調整器
６  カプラ
７  圧縮空気取出装置
１０  エア供給口
１１  ソケット部
１２ａ  第１の遮断弁
１２ｂ  第２の遮断弁
１３  筒状体
１４  Ｏリング
１５  バルブシート
１６  ロッド
１７  Ｏリング
１８  開閉弁
１９  付勢バネ
２０  バルブシート
２１  作動部材
２２  バネ
３０  カプラ
３１  エア供給口
３２  ソケット部
３３  第一筒状体
３４  第二筒状体
３５  エア通路
３６  開閉弁
３７  バネ
３８  バルブシート
３９  圧縮バネ
【図１】
0004894118.tif 000002
【図２】
0004894118.tif 000003
【図３】
0004894118.tif 000004
【図４】
0004894118.tif 000005
【図５】
0004894118.tif 000006
【図６】
0004894118.tif 000007
【図７】
0004894118.tif 000008
【図８】
0004894118.tif 000009
【図９】
0004894118.tif 000010
【図１０】
0004894118.tif 000011
【図１１】
0004894118.tif 000012